(57)【要約】【課題】介助を必要とする利用者を、着座対象物に容易に誘導して座らせることができ、しかも着座対象物に対し、安定して着座、起立させることができる介助椅子を提供することを目的とする。【解決手段】利用者が座ろうとする着座対象物の着座面より高い位置の座席部と、前記座席部の正面側に、利用者が両手で均等に掴むことができる正面手摺と、前記座席部の座面を開放する座面開放手段と、前記座席部の背面側に開放して設けられ、該開放された座席部の背面側より利用者が乗降する乗降口と、前記乗降口に連通して設けられ、前記着座対象物の正面側に前記座席部の乗降口を対応させたとき、着座対象物と座席部での利用者の着座方向が同じ向きに対応し、且つ着座対象物の上方に座席部が重なる乗り換え可能な位置まで該座席部を進入させる進入空間部とを備えた介助椅子を構築する。【選択図】図５
2009077766.tif 000002
【特許請求の範囲】
【請求項１】
座席部を支える支持部材の下端に、床面上を走行する車輪を備えて構成される介助椅子であって、
利用者が座ろうとする着座対象物の着座面より高い位置の座席部と、
前記座席部の正面側に、利用者が両手で均等に掴むことができる正面手摺と、
前記座席部の座面を開放する座面開放手段と、
前記座席部の背面側に開放して設けられ、該開放された座席部の背面側より利用者が乗降する乗降口と、
前記乗降口に連通して設けられ、前記着座対象物の正面側に前記座席部の乗降口を対応させたとき、着座対象物と座席部での利用者の着座方向が同じ向きに対応し、且つ着座対象物の上方に座席部が重なる乗り換え可能な位置まで該座席部を進入させる進入空間部と、
を備えた介助椅子。
【請求項２】
前記座面開放手段は、前記座席部を支持部材から着脱自在にして開放する構成とした
請求項１に記載の介助椅子。
【請求項３】
前記正面手摺に、利用者の身体の一部を柔軟に受け止める支え部を備えた
請求項１または２に記載の介助椅子。
【請求項４】
前記座席部の正面側に、介助者が掴むことができる手押し用の手摺を備えた
請求項１、２または３に記載の介助椅子。
【請求項５】
前記座席部の正面側に、利用者の足を載せるステップを備えた
請求項１〜４の何れか１つに記載の介助椅子。
【請求項６】
前記座席部の背面側に、利用者の背中を凭れ掛けさせる背凭れを着脱自在に備えた
請求項１〜５の何れか１つに記載の介助椅子。
【請求項７】
前記車輪の走行を一括して停止させる制動装置を備えた
請求項１〜６の何れか１つに記載の介助椅子。
【発明の詳細な説明】
【技術分野】
【０００１】
この発明は、例えば駅、劇場、病院などに備えられている腰掛便器等の着座対象物への利用を介助する介助椅子に関し、さらに詳しくは着座対象物への利用を容易にする介助椅子に関する。
【背景技術】
【０００２】
以下、着座対象物の一例にトイレに備えられる腰掛便器を例にとって説明する。従来、腰掛便器に対しては、足腰の弱くなった高齢者、身体障害者、あるいは介助を要する利用者を考慮して、工夫を凝らした車椅子を利用して利用者を腰掛便器への位置まで誘導するものが知られている。
【０００３】
利用者が介助者に介助を委ねる割合が大きい車椅子利用者の場合は、介助者が利用者を腰掛便器に座らせる際に、利用者の歩行難度や障害の割合に比例して介助者に多くの負担が掛かっていた。さらに、介助者が利用者を腰掛便器に誘導した後においても、利用者を起立した姿勢から腰掛便器に着座させる場合、また利用者を腰掛便器に着座している姿勢から起立させる場合に、利用者を容易に起立、着座させることが望まれる。
【０００４】
ところが、車椅子を腰掛便器に近づけるだけでは利用者が円滑に乗り移ることができず、手間が掛かっていた。ことに、利用者は身近な介助者にしがみつくなどしてバランスを崩しやすく、危険であり、腰掛便器への移乗に時間が掛かっていた。
【０００５】
このようなことから車椅子の利用に際して、通常は普通座席板を用いて車椅子を利用し、トイレを利用する際は便用座席板に交換するようにした障害者用車椅子が知られている(例えば特許文献１参照)。
【０００６】
この障害者用車椅子は、車高を高くできる車椅子を腰掛便器の上面に重なる位置まで誘導した後、車椅子の座席を普通座席板から便用座席板に交換し、該便用座席板の交換後に、車椅子を腰掛便器の重合位置から引き抜くことで、利用者を車椅子から腰掛便器に移乗できるようにしている。
【０００７】
しかし、このような車椅子から腰掛便器への移乗では、予め座席を前後に分割させて同一平面上に２種類の座板を用意しておき、分割された一方の前部座席に大腿部を乗せさせた状態で、他方の空いた後部座席を取り替える構成のため、移乗時には利用者を前後に移動させる必要があり、その際に利用者は足を踏ん張る脚力や身体のバランスを保つために腕力を要し、筋力の衰えた利用者の場合は介助者に頼らざるを得ず、利用者が車椅子から腰掛便器に移乗するまでの動きが不安定であった。また、腰掛便器から元の車椅子に乗り移らせる際にも不安定であり、円滑な介助ができなかった。
【０００８】
【特許文献１】特公平３−６７６９７号
【発明の開示】
【発明が解決しようとする課題】
【０００９】
そこでこの発明は、介助を必要とする利用者を着座対象物の着座位置に容易に座らせることができ、しかも着座対象物に安定して着座、起立させることができる介助椅子を提供することを目的とする。
【課題を解決するための手段】
【００１０】
この発明は、座席部を支える支持部材の下端に、床面上を走行する車輪を備えて構成される介助椅子であって、利用者が座ろうとする着座対象物の着座面より高い位置の座席部と、前記座席部の正面側に、利用者が両手で均等に掴むことができる正面手摺と、前記座席部の座面を開放する座面開放手段と、前記座席部の背面側に開放して設けられ、該開放された座席部の背面側より利用者が乗降する乗降口と、前記乗降口に連通して設けられ、前記着座対象物の正面側に前記座席部の乗降口を対応させたとき、着座対象物と座席部での利用者の着座方向が同じ向きに対応し、且つ着座対象物の上方に座席部が重なる乗り換え可能な位置まで該座席部を進入させる進入空間部とを備えた介助椅子であることを特徴とする。
【００１１】
前記着座対象物は、利用者が腰を掛けることができる場所に配置された着座利用対象となる座席であって、その利用対象の一例としてトイレの腰掛便器、浴室用の腰掛などが挙げられる。
【００１２】
前記正面手摺は、手で掴み易い大きさの握り棒を座席部の前方位置で掴み易い高さ位置に備える。また、正面手摺を座席部の正面位置から前方の掴み易い位置に配設させる場合、両手を前方に伸ばして正面手摺を左右均等に掴めるように座席部の正面位置から左右対称となる形状に設けるのが適している。例えば、介助椅子の正面に対し、その前方の左右方向に例えば直線状の握り棒を架設するとよい。このほか、利用者が座席部の正面位置から前方に手を伸ばして手摺を掴む際に、身体を中心に動く手の操作範囲内に握り棒を円弧形状に湾曲させて配設することもできる。この場合、利用者は円弧形状に湾曲した手摺の任意の位置を座席部から同じ距離で容易に掴むことができる。
【００１３】
前記進入空間部は、着座対象物を乗降口側から内方の座席部まで進入させることができる収納空間であり、上下、左右方向及び奥行き方向が着座対象物と接触しない開放された収納空間を有している。
【００１４】
この介助椅子は、着座対象物への乗り換え用の椅子として、該着座対象物の周辺に待機させておいてもよく、着座対象物と離れた遠くの場所から車椅子代わりに利用できるように利用者の周辺に待機させておくこともできる。このように介助椅子は利用者が利用するのに適した場所に待機させておき、着座対象物に利用者が着座しようとする利用時のみ使用されるものである。
【００１５】
例えば、老人ホーム、病院、自宅などにおいて利用者が普段、車椅子に乗って移動する場合であれば、ベッドの付近に介助椅子を待機させておき、利用者はベッドから直接、介助椅子に乗って着座対象物まで走行することができ、該介助椅子を車椅子代わりに代用することができる。この場合は、車椅子から介助椅子に乗り換えなくて済み、また着座対象物の利用後に介助椅子から車椅子へと乗り換えなくて済み、無駄な乗換えが解消されるので着座対象物への利用が円滑になる。
【００１６】
そして、使用時には利用者が該介助椅子の背面側に有する乗降口より乗車し、利用者が座席に座って乗車した状態で該介助椅子を背面走行させて着座対象物の正面位置より進入させる。進入後は、利用者を正面手摺に掴ませて立ち上がらせ、座席シートを取り外して座らせることで利用者を着座対象物に移乗させることができる。
【００１７】
この発明の態様として、前記座面開放手段は、前記座席部を支持部材から着脱自在にして開放する構成とすることができる。  
前記座面開放手段の一例として、例えば平板状の座席部の両側にフックを取り付け、該フックをパイプフレーム等の支持部材に着脱自在に係止させれば、該座席部を開放自由に設けることができる。また、座席部は支持部材より完全に取り外せるように設けてもよく、片側だけ着脱して取り外すように設けてもよい。
【００１８】
この発明の態様として、前記正面手摺に、利用者の身体の一部を柔軟に受け止める支え部を備えて構成することができる。  
前記支え部は、座席部に座った利用者の身体が前屈みになったときに、手だけでなく、腕、肘、胸部などを柔軟に受け止めることができるように、比較的柔らかい部材を正面の手摺に備えておくのが好ましい。
【００１９】
この発明の態様として、前記座席部の正面側に、介助者が掴むことができる手押し用の手摺を備えて構成することができる。  
前記手押し用の手摺は、例えば正面手摺の前方に手摺を延出させれば、この延出部分を介助者が掴んで手押しすることができるので、介助椅子を介助者が安定して手押し操作することができる。また、正面手摺だけでなく、座席部周辺の介助操作し易い位置に、手押し用の手摺を設けることができる。
【００２０】
この発明の態様として、前記座席部の正面側に、利用者の足を載せるステップを備えて構成することができる。  
前記ステップは、座席に座った利用者の足を載せることができる足搭載用のステップとして、座席部の前方の下部に備えるとよい。これにより、走行時に利用者の足が床面に着かないので安全であり、また利用者の足が走行の妨げになることもない。
【００２１】
この発明の態様として、前記座席部の背面側に、利用者の背中を凭れ掛けさせる背凭れを着脱自在に備えて構成することができる。  
前記背凭れは、介助椅子の走行時は座席部に座った利用者の背面側を保護するので取り付けておき、介助椅子から着座対象物に移乗するときは妨げにならないように取り外して使用する。よって、この背凭れは着脱して使用する。また、着脱に際しては、単独に取り外せるようにしてもよく、前記座席シートと一体化して着脱できるようにしてもよい。
【００２２】
この発明の態様として、前記車輪の走行を一括して停止させる制動装置を備えて構成することができる。  
前記制動装置は、床面に接する複数の車輪を一括して床面より浮き上がらせるように支持部材ごと上動させるジャッキ状の構成にするとよい。これにより、複数の車輪は床面と離れ、介助椅子の走行は瞬時に停止される。従って、介助椅子を着座対象物の上方に重合させた位置に誘導した時点で制動動作させればよい。
【発明の効果】
【００２３】
この発明によれば、介助椅子に座っている利用者は終始正面手摺を掴んで身体を支えることができ、介助椅子から着座対象物に移乗する際には、該正面手摺に身体を引き寄せるなどして安定して着座、起立姿勢に移ることができる。よって、介助椅子の利用中は不安な姿勢がなくなり、利用者は着座対象物に対して無理のない姿勢でバランスよく着座、起立して、介助椅子から着座対象物に安定して乗り移ることができる。
【００２４】
次に、この発明の実施例を以下図面に基づいて説明する。  
【実施例１】
【００２５】
図１は介助椅子１１を示す外観斜視図であり、図２は介助椅子１１に座った状態を示す側面図であり、図３は座席シート１２を外した状態を示す介助椅子１１の斜視図であり、図４は腰掛便器１３に対応して備えられる介助椅子１１を示す斜視図であり、図５は腰掛便器１３に介助椅子１１を重合させた状態を示す斜視図である。
【００２６】
前記介助椅子１１は、座席部１４を支えるパイプフレームよりなる支持枠体１５の下端に、床面１６上を走行する左右の前輪と左右の後輪との複数の車輪１７を分散して配置し、また座席部１４の背面側に支持枠体１５により開放された乗降口１８と進入空間部１９が構成され、さらに支持枠体１５の中間高さ位置に配置される座席シート１２と、支持枠体１５の下部に配置されるステップ２０及び制動装置２１とから構成される。
【００２７】
前記支持枠体１５は、垂直方向の支柱として配列される前列と中列と後列との３列の垂直支持フレームＦ１，Ｆ２，Ｆ３と、水平方向の支持梁として配列される上段と中段と下段との３列の水平支持フレームＦ４，Ｆ５，Ｆ６とを組み合わせて、平面視コ型状の立体的な枠体を構成している。前記平面視コ型状の両側に平行する中段高さの水平支持フレームＦ５間には、平板状の座席シート１２を水平に架設している。これにより、垂直方向にコ型空間を形成する支持枠体１５と、そのコ型空間を上下に２分して仕切る座席シート１２とで、コ型空間の上部に１人分の座席空間として囲まれる座席部１４を構成している。そして、ここに利用者２２が図２に示すように、正面に向かって座れるようにしている。
【００２８】
前記座席シート１２は長方板の長手方向両端部に、半円形状のフック２３を有しており、これらのフック２３を両側の水平支持フレームＦ５のパイプ上面に沿って被せるように係止させることで、該座席シート１２を水平支持フレームＦ５の上方より着脱することができる。該座席シート１２の着脱を可能にすることで、後述する介助椅子１１に座っている利用者２２が、これから座ろうとする腰掛便器１３に乗り移る移乗動作を容易にしている。
【００２９】
また、座席シート１２の取り付け高さは、利用者２２が移乗しようとする腰掛便器１３の着座面１３ａより高い位置になるように設定する。よって、介助椅子１１を腰掛便器１３に重合させたときに、座席シート１２が腰掛便器１３の上面と接触しない高さ位置となる。
【００３０】
また、介助椅子１１は座席部１４の正面側が支持枠体１５の平面視コ型状の閉鎖面側に対応し、座席部１４の背面側が平面視コ型状の開放側に対応している。そして、開放された座席部１４の背面側を利用者が乗降する乗降口１８に設けている。
【００３１】
さらに、乗降口１８に連通して設けられ、腰掛便器１３の正面側に、介助椅子１１の乗降口１８を対応させたとき、腰掛便器１３と介助椅子１１との着座方向が同じ向きとなり、且つ腰掛便器１３の上方に、介助椅子１１の座席シート１２が重なる乗り換え可能な位置まで介助椅子１１を進入させることができる空間となる進入空間部１９が形成されている。
【００３２】
前記進入空間部１９は、介助椅子１１の下部に形成されて腰掛便器１３を収納する収納空間であり、上下、左右方向及び奥行き方向が腰掛便器１３と接触しない開放された空間である。
【００３３】
前記支持枠体１５のうち、座席部１４の上部を囲む周辺の手摺として上段高さの水平支持フレームＦ４が設けられている。さらに、その正面側の水平支持フレームＦ４に対しては、利用者２２が安定した起立、着座を図ることができる正面手摺２４を備えている。
【００３４】
前記正面手摺２４は、利用者２２が座った姿勢から該正面手摺２４を掴むのに適した高さ位置に、握り易い大きさのパイプフレームを手摺用の握り棒として上段高さの水平支持フレームＦ４の正面側を湾曲形成して設けている。その湾曲状態は、座席部１４を中心とする同半径長さの円弧形に湾曲させている。これにより、該正面手摺２４は、利用者が座席部１４の正面位置から前方に手を伸ばして該正面手摺２４を掴む際に、身体を中心に手で掴むことができる前方の操作範囲内に正面手摺２４の全長が湾曲して配置されることになる。このため、利用者２２は正面手摺２４の任意の位置を、手を伸ばした同じ距離で掴むことができる。
【００３５】
この場合、正面手摺２４に対する左手と右手の掴む位置を予め定めておけば、正面手摺２４と両手との関係から利用者２２が座る中心位置が自ずと決まり、利用者は後ろが見えない状態でも安心、且つ安定して座ることができる。
【００３６】
前記正面手摺２４は十分な強度と握り易さが得られるものであればよく、例えばアルミパイプやステンレスパイプ等の金属製のパイプ以外にも、十分な強度が得られる樹脂パイプを用いて形成することができる。さらに、利用者が正面手摺２４を安定して握れるように、正面手摺２４の外周面を握り易い表面に形成するのが適している。例えば、握り部の外表面に滑り止め用の凹凸加工を施してもよく、パイプ外周面に滑り止め部材を被覆してもよい。また、パイプを真円以外の楕円形などの断面形状に設けることもできる。
【００３７】
さらに、支持枠体１５の正面側下部には、横長の足搭載用のステップ２０が平面視コ型状の両側に平行する下段高さの水平支持フレームＦ６の対向面間に架設されている。このステップ２０を備えることにより、利用者２２は介助椅子１１に安定して座ることができ、走行時に利用者２２の足が床面１６に着かないので安全である。また、このステップ２０も、両端部にフックを設けて座席シート１２と同様に着脱できるように構成することもできる。
【００３８】
また、支持枠体１５の正面側下部の中央には、介助椅子１１の走行を停止させるための制動装置２１が備えられている。この制動装置２１は下段高さの水平支持フレームＦ６に該水平支持フレームＦ６からジャッキ状に昇降される昇降ロック部２５を設け、該昇降ロック部２５が足踏みレバー２６により上下動し、通常は図２に示すように、昇降ロック部２５が上動退避しており、介助椅子１１が走行許容された状態にある。
【００３９】
一方、昇降ロック部２５を下動させたときは、図６に示すように、該昇降ロック部２５の下端が床面１６に当接し、該床面１６を基点に昇降ロック部２５の上端側の水平支持フレームＦ６を上方に押し上げ、左右両側の前輪を一括して上動させる。これにより、床面１６に接する４個の車輪１７のうち、前輪側を一括して床面１６より浮き上がらせるように水平支持フレームＦ６ごと上動されることで、介助椅子１１の走行は瞬時に停止される。
【００４０】
次に、介助椅子１１が有効利用される場合の特性について説明する。  
この介助椅子１１は、腰掛便器１３への乗り換え用の椅子として、該腰掛便器１３の周辺に待機させておいてもよく、腰掛便器１３と離れた遠くの場所から車椅子代わりに利用できるように利用者の周辺に待機させておくこともできる。このように介助椅子１１は利用者が利用するのに適した場所に待機させておき、腰掛便器１３に利用者が着座しようとする利用時のみ使用されるものである。
【００４１】
例えば、老人ホーム、病院、自宅などにおいて利用者が普段、車椅子に乗って移動する場合であれば、ベッドの付近に介助椅子１１を待機させておき、利用者はベッドから直接、介助椅子１１に乗ってトイレまで走行することができ、該介助椅子１１を車椅子代わりに代用することができる。この場合は、車椅子から介助椅子１１に乗り換えなくて済み、また腰掛便器１３の利用後に介助椅子１１から車椅子へと乗り換えなくて済み、無駄な乗換えが解消されるので腰掛便器１３への利用が円滑になる。
【００４２】
ことに、介助椅子１１の使用に際して、この介助椅子１１の利用目的である利用者２２が介助椅子１１から腰掛便器１３に移乗するという身体の動きを一考した場合、介助を要する利用者２２は、必ず移乗行為に伴い起立、着座動作が必要になる。この起立、着座動作を容易にすることが、移乗時での重要な介助の役割を担っている。そこで、正面手摺２４の後述する介助作用が利用者２２を安定して容易に起立、着座動作させる解決手段となる。
【００４３】
具体的には、足腰の衰えた介助を必要とする利用者２２が起立、着座する際は、目の前の正面手摺２４を両手で掴んで、身体を正面手摺２４に引き寄せるように支えにすれば、そのまま起立、または着座することができる。この場合、利用者２２は両手を揃えて正面手摺２４を掴むため均等に力が入ることになり、利用者２２の身体を上下動させるのに最も適している。ことに、正面手摺２４を掴む方向が身体の前方であるため、重心が左右に傾かず、腰掛便器１３に着座、起立する場合に利用者２２の膝の屈伸する動きにも無理がなくなり、利用者２２の上下動方向と利用者２２が両手を揃えて力を加えようとする方向が略一致し、この結果、利用者２２の腕の力が分散され難く、効率よく前方の一点に集中されて利用者２２はバランスよく上下動することができる。
【００４４】
また、利用者２２に介助者が伴い、介助者の介助操作を受ける場合にも利用者２２は終始正面手摺２４を掴んで、力を常に正面手摺２４にかけて上下動することになるため、介助者の肉体的な負担が少なくなり、効率のよい介助操作ができる利点がある。
【００４５】
また、利用者２２が正面手摺２４を掴んだ姿勢は、利用者２２の両手が前方に揃って突き出された姿勢となり、利用者２２の左右側方が空いて第三者が利用者２２の身体を支え易くなる。よって、介助者が利用者２２の左右側方から介助する場合は介助操作し易くなる。また、利用者２２は前方の正面手摺２４を掴んで、力を正面手摺２４にかけているため、身体が左右に不安定に動かなくなり、利用者２２のバランスが安定し、介助者に掛かる負担が少なくなる利点がある。
【００４６】
次に、利用者２２が介助椅子１１を利用する場合、まず利用者２２は座席シート１２が外された介助椅子１１の乗降口１８より入り、座席部１４に座席シート１２を取り付けた後、利用者２２は正面手摺２４を掴んで座席部１４に座る。この場合、利用者２２は正面位置の正面手摺２４を両手で掴んでいるため正面手摺２４を支点にして安定して座ることができる。そして、正面手摺２４を掴んだままの状態で介助者が介助椅子１１を押して背面走行（図４参照）させ、腰掛便器１３の正面位置より進入させる。
【００４７】
このとき、腰掛便器１３の蓋１３ｂを開けると共に、介助椅子１１の進入空間部１９をさらに進入させると、上方の座席シート１２と下方の腰掛便器１３の着座部１３ａとが上下に対応した時点（図５参照）で進入完了し、その後、制動装置２１を制動させて、介助椅子１１の背面走行を停止させる。
【００４８】
この介助椅子１１の進入完了後は、その位置が利用者２２の着座位置となり、その位置で利用者２２を移乗に先立って起立させる。この際、利用者２２は正面手摺２４を掴んでいるため安定して立ち上がることができる。そして、起立後は介助者が座席シート１２を取り外し、取り外された下方に腰掛便器１３の着座面１３ａが表れて着座可能になる。よって、利用者２２の着衣をずらして、そのまま座らせることで、利用者２２は腰掛便器１３に移乗することができる。
【００４９】
腰掛便器１３の利用中において、移乗済みとなった介助椅子１１は、そのまま配置しておいてもよく、また取り除いてもよい。介助椅子１１を取り除く際は、制動装置２１の制動を解除した後、腰掛便器１３の位置から再び引き出すように前進させれば、容易に引き出すことができ、次の利用に備えられる。
【００５０】
例えば、公共トイレの場合であれば、１台の介助椅子１１を１人が長く占有することなく、利用者が腰掛便器１３に着座した後は、該介助椅子１１を引き出し、公共用の介助椅子１１として順序よく利用可能に待機させる。この場合は、１台の介助椅子１１を、他の腰掛便器１３を利用する多くの人の着座利用が図れ、兼用される公共の介助椅子１１として有効に利用することができる。
【００５１】
また、腰掛便器１３の利用後は、介助椅子１１が引き出されている際は、再び介助椅子１１を腰掛便器１３の位置に導いて進入させ、制動後、利用者２２に正面手摺２４を掴ませて安定して立ち上がらせることができる。その後、利用者２２の着衣を直し、座席シート１２を取り付けて座席部１４に座らせることで、再び利用者２２を介助椅子１１に座らせることができる。そして、介助椅子１１の制動を解除して前進させれば、利用者２２を再移乗させて移送することができる。
【実施例２】
【００５２】
図７は手押し用の手摺を備えた介助椅子７１の斜視図である。ここで、実施例２は実施例１と比較して、手押し用の手摺７２を付設していることが異なり、他は同じであるため、同一の部分の説明についてはその説明を省略し、異なる部分についてのみ説明する。
【００５３】
前記手押し用の手摺７２は、正面手摺２４の前方に、左右方向に水平な直棒を有し、その両端部を内向きに屈曲させて凹型状にした手摺である。この手押し用の手摺７２を正面手摺２４の前方に配置することで、介助者が該手押し用の手摺７２を掴んで手押しすることができる。よって、介助者が介助椅子７１を安定して手押し操作することができる。
【実施例３】
【００５４】
図８はパッド付き正面手摺を備えた介助椅子８１の斜視図である。ここで、実施例３は実施例１と比較して、正面手摺２４にパッド８２を備えていることが異なり、他は同じであるため、同一の部分の説明についてはその説明を省略し、異なる部分についてのみ説明する。
【００５５】
前記パッド８２は、緩衝用のゴム、スポンジ等の柔軟な体圧分散用の受け止め部材として座席部１４の前方に配設するものである。例えば、正面手摺２４を包むようにして配設することができる。このパッド８２を備えることにより、座席部１４に座った利用者の身体が前屈みになったときに、手だけでなく、腕、肘、胸部などを柔軟に受け止めることができる。
【実施例４】
【００５６】
図９は背凭れを備えた介助椅子９１の斜視図である。ここで、実施例４は実施例１と比較して、背凭れ９２を備えていることが異なり、他は同じであるため、同一の部分の説明についてはその説明を省略し、異なる部分についてのみ説明する。
【００５７】
前記背凭れ９２は、支持枠体１５の平面視コ型状の両側に平行する後列の垂直支持フレームＦ３の対向面間に長方体状の背凭れ９２を着脱自在に横長に架設して利用者の背面側の保護を図っている。垂直支持フレームＦ３への着脱に際しては、背凭れ９２の両端部に備えた取付部材９３を介して着脱自在に固定している。例えば、弾力性を持たせた樹脂製の半割筒体を垂直支持フレームＦ３に嵌着して着脱するようにしてもよい。また、垂直支持フレームＦ３のパイプ頂部を開口し、ここに小径パイプの取付部材９３を嵌合させて着脱自在に取り付けるようにしてもよい。
【００５８】
この背凭れ９２を設けることによって、介助椅子９１の走行時は座席部１４に座った利用者の背面側を保護することができ、また利用者が介助椅子９１から腰掛便器１３に移乗する場合は取り外せるので妨げにはならない。
【００５９】
この発明の構成と、上述の実施例の構成との対応において、
この発明の支持部材は、実施例の支持枠体１５に対応し、
以下同様に、
着座対象物は、腰掛便器１３に対応し、
座面開放手段は、座席シート１２に対応し、
支え部は、パッド８２に対応するも、この発明は上述の実施例の構成に限定されるものではなく、請求項に記載される技術思想に基づいて応用することができる。
【図面の簡単な説明】
【００６０】
【図１】実施例１における介助椅子を示す外観斜視図。
【図２】実施例１における介助椅子に座った状態を示す側面図。
【図３】実施例１における座席シートを外した状態を示す介助椅子の斜視図。
【図４】実施例１における腰掛便器に対応して備えられる介助椅子を示す斜視図。
【図５】実施例１における腰掛便器に介助椅子を重合させた状態を示す斜視図。
【図６】実施例１における制動装置の制動状態を示す側面図。
【図７】実施例２における手押し用の手摺を備えた介助椅子の斜視図。
【図８】実施例３におけるパッド付き正面手摺を備えた介助椅子の斜視図。
【図９】実施例４における背凭れを備えた介助椅子の斜視図。
【符号の説明】
【００６１】
１１，７１，８１，９１…介助椅子
１２…座席シート
１３…腰掛便器
１４…座席部
１８…乗降口
１９…進入空間部
２４…正面手摺
７２…手押し用の手摺
８２…パッド
９２…背凭れ
【図１】
2009077766.tif 000003
【図２】
2009077766.tif 000004
【図３】
2009077766.tif 000005
【図４】
2009077766.tif 000006
【図５】
2009077766.tif 000007
【図６】
2009077766.tif 000008
【図７】
2009077766.tif 000009
【図８】
2009077766.tif 000010
【図９】
2009077766.tif 000011